(57)【要約】      （修正有）【課題】部品点数の削減を図れると共に、インレットソケットのガタツキを生じることなくケースに確実に固定できるインレット型電子部品を提供する。【解決手段】電子部品素子を収納したケースの上壁部４６にインレットソケット６４を接続して成るインレット型ノイズフィルタであって、インレットソケット６４は、有底角筒状の本体部６４ａと、本体部６４ａの外方へ張り出す鍔部６４ｂと、本体部６４ａの開口内に配置される入力端子６６を備え、インレットソケット６４の本体部６４ａの開口及び入力端子６６が、ケース上壁部４６の取付開孔内に露出すると共に、インレットソケット６４の鍔部６４ｂの底面がケース上壁部４６の内面上に当接配置された状態で、鍔部６４ｂをケース上壁部４６に接続し、また、ケース上壁部４６の内面に、インレットソケット６４の鍔部６４ｂの側面６４ｂ２と当接する基端部６７ａと、鍔部６４ｂの上面６４ｂ３と当接する枝部６７ｂを有する係合片６７を形成した。【選択図】図１０
0003161331.tif 000002
【実用新案登録請求の範囲】
【請求項１】
ケース内に電子部品素子を収納すると共に、上記ケースの壁部にインレットソケットを接続して成るインレット型電子部品であって、
上記インレットソケットは、有底筒状の本体部と、該本体部の外方へ張り出す鍔部と、上記本体部の開口内に配置される端子を備え、
上記インレットソケットの本体部の開口及び端子が、ケース壁部の取付開孔内に露出すると共に、インレットソケットの鍔部の底面がケース壁部の内面上に当接配置された状態で、上記鍔部をケース壁部に接続して成り、また、
上記ケースの壁部に、上記インレットソケットの鍔部の側面と当接する基端部と、鍔部の上面と当接する枝部を有する係合片を形成したことを特徴とするインレット型電子部品。
【考案の詳細な説明】
【技術分野】
【０００１】
この考案はインレット型電子部品に係り、特に、ケース内に電子部品素子を収納すると共に、上記ケースにインレットソケットを接続して成るインレット型電子部品に関する。
【背景技術】
【０００２】
ケース内に電子部品素子を収納すると共に、上記ケースにインレットソケットを接続して成るインレット型電子部品としては、例えば、図１７〜図１９に示すインレット型ノイズフィルタ80がある。尚、ノイズフィルタは、電源ライン或いは通信ライン等の外部ラインを経由して電子機器内に侵入する各種のノイズによって、電子機器が誤動作することを防止し、また、電子機器が発生するノイズを外部に発散させないために使用されるものである。
【０００３】
上記インレット型ノイズフィルタ80は、箱型の導電性ケース81内に、フィルタ回路を構成するコモンモードチョークコイルやコンデンサ等の各種電子部品素子（図示省略）を収納して成る。
ケース81の第１の側壁部81ａには、インレットソケット82が２本のネジ83を介して接続されており、該インレットソケット82内には、一対の入力端子（第１の入力端子84ａ，第２の入力端子84ｂ）と第１のアース端子85が設けられている。
上記インレットソケット82は、有底角筒状の本体部86と、該本体部86の外方へ張り出す鍔部87と、上記ケース81外に突出する外方突出部88を有しており、本体部86及び鍔部87をケース81内に挿入した状態で、鍔部87をネジ83で第１の側壁部81ａに接続固定するようになっている。
【０００４】
また、ケース81の第１の側壁部81ａと対向する第２の側壁部81ｂには、ファストン端子で構成された一対の出力端子（第１の出力端子89ａ，第２の出力端子89ｂ）と第２のアース端子90が、それぞれ所定の間隔を設けて接続固定されている。
上記出力端子89ａ，89ｂ及び第２のアース端子90の基端部は、第２の側壁部81ｂを貫通してケース81内に配置されている。
図示は省略するが、上記インレットソケット82内の入力端子84ａ，84ｂと、ファストン端子より成る出力端子89ａ，89ｂは、ケース81内において、各種電子部品素子で構成されたフィルタ回路と所定の電気的接続が実現されている。
【０００５】
ところで、上記インレットソケット82は、鍔部87をネジ83で第１の側壁部81ａに接続固定しているが、更に、インレットソケット82のガタツキを防止するため、従来、ケース81内に樹脂を充填・硬化させてインレットソケット82の固定を行っていた。
このため、部品点数が多くなると共に、樹脂の充填・硬化作業が必要であることから、手間がかかっていた。
【０００６】
そこで、本出願人は先に、部品点数の削減を図ることができると共に、インレットソケットの固定作業を容易に行うことができるインレット型ノイズフィルタを提案した（特許文献１：実用新案登録第３１２５２５８号公報）。
【０００７】
このインレット型ノイズフィルタ10は、図２０〜図２５に示すように、箱型の導電性ケース11内に、フィルタ回路を構成する各種電子部品素子（図示省略）を収納して成る。
上記ケース11の第１の側壁部11ａには、インレットソケット12が２本のネジ13を介して接続されており、該インレットソケット12内には、一対の入力端子（第１の入力端子14ａ，第２の入力端子14ｂ）と第１のアース端子15が設けられている。
上記インレットソケット12は、有底角筒状の本体部16と、該本体部16の外方へ張り出す鍔部17と、上記ケース11外に突出する外方突出部18を有しており、本体部16及び鍔部17をケース11内に挿入した状態で、鍔部17をネジ13で第１の側壁部11ａに接続固定するようになっている。
上記一対の入力端子14ａ，14ｂと第１のアース端子15は、所定の間隔を設けて、その先端側が本体部16内に突出配置されていると共に、後端側は、本体部16を貫通してケース11内に突出配置されている。
【０００８】
また、ケース11の第１の側壁部11ａと対向する第２の側壁部11ｂには、ファストン端子で構成された一対の出力端子（第１の出力端子19ａ，第２の出力端子19ｂ）と第２のアース端子20が、所定の間隔を設けて接続固定されている。
【０００９】
図２３、図２４及び図２５に示すように、ケース11の底壁部24には、該底壁部24の一部を切込んでケース11内方側に引き起こして形成した接続片25が設けられている。該接続片25は、先端に切欠26が形成されており、該切欠26内に、インレットソケット12の上記第１のアース端子15が挟持されている。
【００１０】
また、ケース11の底壁部24には、該底壁部24の一部を切込んでケース11内方側に突出させて形成した略山形の係合突起27が２個形成されている。
該係合突起27は、インレットソケット12の鍔部17の下端部と係合して（図２５）、インレットソケット12のガタツキを防止するために形成されたものである。
【００１１】
図示は省略するが、上記インレットソケット12内の入力端子14ａ，14ｂと、ファストン端子より成る出力端子19ａ，19ｂは、ケース11内において、各種電子部品素子で構成されたフィルタ回路と所定の電気的接続が実現されている。
【００１２】
出願人が提案した上記インレット型ノイズフィルタ10にあっては、ケース11の底壁部24に、上記インレットソケット12の鍔部17の下端部と係合する係合突起27を形成したので、インレットソケット12の鍔部17の下端部と係合突起27とを係合させることにより、インレットソケット12が固定され、ガタツキを防止することができる。このため、従来のインレット型ノイズフィルタ70のように、インレットソケット72のガタツキを防止するための樹脂が不要であり、部品点数の削減を図ることができる。
また、インレットソケット12の鍔部17の下端部と係合突起27とを係合させるだけで、インレットソケット12が固定されるので、上記ノイズフィルタ80のように、樹脂の充填・硬化作業が不要となり、インレットソケット12の固定作業が容易である。
【特許文献１】実用新案登録第３１２５２５８号公報
【考案の開示】
【考案が解決しようとする課題】
【００１３】
上記インレット型ノイズフィルタ10は、図２５に示すように、ケース11の底壁部24に形成した略山形の係合突起27と、インレットソケット12の鍔部17の下端部とを係合させてインレットソケット12のガタツキ防止を図ったものであるが、略山形の係合突起27とインレットソケット12の鍔部17とは当接させているだけであるため、特に上下方向に強い外力が加わった場合、ガタツキを生じてしまうおそれがあった。
【００１４】
本考案は、従来の上記問題点に鑑みて案出されたものであり、その目的とするところは、部品点数の削減を図ることができると共に、インレットソケットのガタツキを生じることなくケースへ確実に固定することができるインレット型電子部品を実現することにある。
【課題を解決するための手段】
【００１５】
上記の目的を達成するために、本考案に係るインレット型電子部品は、
ケース内に電子部品素子を収納すると共に、上記ケースの壁部にインレットソケットを接続して成るインレット型電子部品であって、
上記インレットソケットは、有底筒状の本体部と、該本体部の外方へ張り出す鍔部と、上記本体部の開口内に配置される端子を備え、
上記インレットソケットの本体部の開口及び端子が、ケース壁部の取付開孔内に露出すると共に、インレットソケットの鍔部の底面がケース壁部の内面上に当接配置された状態で、上記鍔部をケース壁部に接続して成り、また、
上記ケースの壁部に、上記インレットソケットの鍔部の側面と当接する基端部と、鍔部の上面と当接する枝部を有する係合片を形成したことを特徴とする。
【考案の効果】
【００１６】
本考案のインレット型電子部品にあっては、インレットソケットの鍔部の底面がケース壁部の内面上に当接配置された状態で、上記鍔部をケース壁部に接続すると共に、上記ケース壁部に、インレットソケットの鍔部の側面と当接する基端部と、鍔部の上面と当接する枝部を有する係合片を形成した。
このため、ケース壁部に接続されるインレットソケットの鍔部が、該鍔部の底面と当接する「ケース壁部の内面」、鍔部の側面と当接する「係合片の基端部」、鍔部の上面と当接する「係合片の枝部」によって保持されるため、インレットソケットのガタツキを生じることなくケースへ確実に固定することができる。このため、従来のノイズフィルタ80のように、インレットソケット82のガタツキを防止するための樹脂が不要であり、部品点数の削減を図ることができる。
【考案を実施するための最良の形態】
【００１７】
以下において、本考案に係るインレット型電子部品を添付図面に基づいて説明する。
図１は本考案に係るインレット型電子部品としてのインレット型ノイズフィルタ40を示す正面図、図２は背面図、図３は平面図、図４は底面図、図５は右側面図、図６は左側面図、図７は斜視図、図８は、図１のＡ−Ａ概略断面図である。
【００１８】
本考案に係るノイズフィルタ40は、略直方体形状の導電性のケース42内に、後述するフィルタ回路を構成する各種電子部品素子（図示省略）を収納して成る。
上記ケース42は、外面が平坦面と成された略長方形状の上壁部46、該上壁部46と所定間隔を設けて対向する外面が平坦面と成された略長方形状の底壁部48、上記上壁部46及び底壁部48の４端辺から上下方向に立設する第１の側壁部50ａ、第２の側壁部50ｂ、第３の側壁部50ｃ、第４の側壁50部ｄを有している。
第１の側壁部50ａと第２の側壁部50ｂ、第３の側壁部50ｃと第４の側壁部50ｄは、それぞれ対向配置されている。また、第１の側壁部50ａ、第２の側壁部50ｂと第３の側壁部50ｃ、第４の側壁部50ｄとは、直交方向に配置されている。
【００１９】
上記ケース42の第１の側壁部50ａには、略矩形状の開口52が形成されており、該開口52から一対の出力コード端子54の一端が導出されている。また、出力コード端子54の他端は、ケース42内においてフィルタ回路56と所定の電気的接続が実現されている（図８）。
尚、上記一対の出力コード端子54の先端はコネクタ58に接続されており、該コネクタ58を介して、上記出力コード端子54と他の電子部品の外部端子（図示せず）との電気的接続が行われるようになっている。
【００２０】
上記ケース12の上壁部46は、外面が平坦面と成されていると共に、その一端側の一部が、第２の側壁部50ｂから突出しており、該突出した部分にノイズフィルタ40取付用の複数の孔60が形成されている。
また、上壁部46の他端側には、下方へ延設された垂下片62が形成されており、該垂下片62は、上記第１の側壁部50ａの開口52の一部を閉塞している。
【００２１】
さらに、上壁部46には、インレットソケット64が接続されており、該インレットソケット64内には、一対の入力端子66が設けられている。
上記インレットソケット64及びインレットソケット64内の入力端子66は、図８に示すように、上壁部46の外面と直交方向に配置されている。
上記インレットソケット64内の入力端子66は、ケース42内において、フィルタ回路56と所定の電気的接続が実現されている。
【００２２】
上記フィルタ回路56は、例えば、図９に示すように、第１のＸコンデンサC1、第２のＸコンデンサC2、第１のＹコンデンサC3、第２のＹコンデンサC4、コモンモードチョークコイルＬ及び抵抗器Ｒで構成されている。
【００２３】
そして、コモンモードチョークコイルＬを構成する一方の巻線が、一方の入力端子66と一方の出力コード端子54間に、また、コモンモードチョークコイルＬを構成する他方の巻線が、他方の入力端子66と他方の出力コード端子54間に接続される。
また、抵抗器Ｒと第１のＸコンデンサC1が、一対の入力端子66，66間に接続され、さらに、第２のＸコンデンサC2は、一対の出力コード端子54，54間に接続される。
さらに、第１のＹコンデンサC3は、一方の出力コード端子54とアース間に接続されるものであり、第２のＹコンデンサC4は、他方の出力コード端子54とアース端子32間に接続されるものである。
尚、図９に示す回路構成は一例を示したものに過ぎず、これに限定されるものではない。
【００２４】
上記インレットソケット64は樹脂等の絶縁性材料で構成されており、図１０〜図１５等に示すように、有底角筒状の本体部64ａと、該本体部64ａの外方へ張り出す鍔部64ｂと、上記ケース42外に突出する外方突出部64ｃ（図１）を有している。
インレットソケット64の外方突出部64ｃを、ケース42の上壁部46に形成した略矩形状の取付開孔46ａ（図１２参照）からケース42外に露出させると共に、本体部64ａ及び鍔部64ｂをケース42内に配置させた状態で、鍔部64ｂに形成したネジ孔64ｄと、ケース42の上壁部46に形成したネジ孔46ｂにネジ（図示省略）を挿通することにより、インレットソケット64をケース42の上壁部46に接続固定するようになっている。
上記一対の入力端子66は、所定の間隔を設けて、その先端側がインレットソケット64の本体部64ａの開口64a1内に突出配置されている（図１及び図７）と共に、後端側は、本体部64ａを貫通してケース42内に突出配置される。
【００２５】
尚、インレットソケット64をケース42の上壁部46に接続固定した状態においては、鍔部64ｂの底面64b1（図１３）が上壁部46の内面上に当接配置され、また、有底角筒状の本体部64ａの開口64a1及び入力端子66が、ケース上壁部46の取付開孔46ａ内に露出している。
【００２６】
また、インレットソケット64が接続されるケース42の上壁部46の内面には、該上壁部46の一部を切込んでケース42内方側に起立させて形成した係合片67が形成されている。
上記係合片67は、上壁部46の略矩形状の取付開孔46ａの対向する長端辺の近傍にそれぞれ２個づつの合計４個形成されており（図１２）、上壁部46から垂直に立設し、インレットソケット64の鍔部64ｂの側面64b2と当接する基端部67ａと、該基端部67ａの上端から取付開孔46ａの内方側へ略９０度屈曲して延設され、鍔部64ｂの上面64b3と当接する枝部67ｂを有している。
【００２７】
次に、図１３〜図１５に基づいて、ケース42の上壁部46へのインレットソケット64の取付方法を説明する。
図１３に示すように、インレットソケット64の取付前においては、上壁部46に形成した係合片67の枝部67ｂは、取付開孔46ａの内方側へ屈曲されてはいない。
図１４に示すように、先ず、  インレットソケット64の外方突出部64ｃを、ケース42の上壁部46に形成した略矩形状の取付開孔46ａからケース42外に露出させると共に、本体部64ａ及び鍔部64ｂをケース42内に配置させた状態で、鍔部64ｂの底面64b1を上壁部46の内面上に当接配置する。
その後、図１５に示すように、上壁部46の係合片67の枝部67ｂを、取付開孔46ａの内方側へ略９０度屈曲させ、該枝部67ｂをインレットソケット64の鍔部64ｂの上面64bcに当接させる。
最後に、インレットソケット64の鍔部64ｂに形成したネジ孔64ｄと、ケース42の上壁部46に形成したネジ孔46ｂにネジ（図示省略）を挿通することにより、インレットソケット64がケース42の上壁部46に接続固定されるのである。
【００２８】
上記した本考案のインレット型ノイズフィルタ40は、インレットソケット64の鍔部64ｂの底面64b1がケース上壁部46の内面上に当接配置された状態で、上記鍔部64ｂをケース上壁部46に接続すると共に、上記ケース上壁部46の内面に、インレットソケット64の鍔部64ｂの側面64b2と当接する基端部67ａと、鍔部64ｂの上面64b3と当接する枝部67ｂを有する係合片67を形成した。
このため、ケース上壁部46に接続されるインレットソケット64の鍔部64ｂが、該鍔部64ｂの底面64b1と当接する「ケース上壁部46の内面」、鍔部64ｂの側面64b2と当接する「係合片67の基端部67ａ」、鍔部64ｂの上面64b3と当接する「係合片67の枝部67ｂ」によって保持されるため、インレットソケット64のガタツキを生じることなくケース42へ確実に固定することができる。このため、従来のノイズフィルタ80のように、インレットソケット82のガタツキを防止するための樹脂が不要であり、部品点数の削減を図ることができる。
【００２９】
上記においては、ケース42の上壁部46にインレットソケット64を接続した場合を例示したが、本考案はこれに限定されるものではなく、ケース42の底壁部48や側壁部50ａ，50ｂ，50ｃ，50ｄにインレットソケット64を接続しても良い。
【００３０】
また、上記においては、インレット型電子部品としてインレット型ノイズフィルタ40を例に挙げて説明したが、本考案はこれに限定されるものではなく、電子部品素子を収納したケースにインレットソケットを接続して成る電子部品に適用可能である。
【００３１】
図１６は、本考案のノイズフィルタ40を電子機器としての薄型テレビ68に組み込んで使用する場合を模式的に示したものである。図１６において、69はガラスパネル、70は各種の電子部品が内蔵された電子回路部、71はスピーカー、72は電子回路部が実装される基板である。
インレット型ノイズフィルタ40は、外面が平坦面と成された上壁部46が、ガラスパネル69と平行となる鉛直方向に沿って薄型テレビ68の背面板73上へ載置固定されると共に、該上壁部46に接続されたインレットソケット64が、薄型テレビ68の背面板73に形成した孔部73ａから外部に露出するようにして実装されている。
ノイズフィルタ40の露出したインレットソケット64には、電源コード74のアウトレット75が接続され、ノイズフィルタ40でノイズが除去された後、電源が薄型テレビ68に供給されるようになっている。
【００３２】
本考案のインレット型ノイズフィルタは、ケース42が、外面を平坦面と成すと共に、入力端子66を内部に備えたインレットソケット64が接続された上壁部46と、該上壁部46と対向する外面が平坦面と成された底壁部48と、上記上壁部46及び底壁部48の４端辺から上下方向に立設する側壁部50ａ，50ｂ，50ｃ，50ｄを有し、上記インレットソケット64及びインレットソケット64内の入力端子66を、上壁部46の外面と直交方向に配置している。
このため、インレット型ノイズフィルタ40の上壁部46の外面を鉛直方向に沿って配置すると、上壁部46に接続されたインレットソケット64及びインレットソケット64内の入力端子66が水平方向に配置されることとなる（図１６参照）。従って、ケース42の高さ（ケース42の底壁部48から上壁部46迄の距離）ｄに相当する空間をノイズフィルタ40実装用に確保すれば、電源コード74のアウトレット75を水平方向に接続することができ、電源コード86の自重の影響によるアウトレット75の抜け落ちを防止できる。
【図面の簡単な説明】
【００３３】
【図１】本考案に係るインレット型ノイズフィルタを示す正面図である。
【図２】本考案に係るインレット型ノイズフィルタを示す背面図である。
【図３】本考案に係るインレット型ノイズフィルタを示す平面図である。
【図４】本考案に係るインレット型ノイズフィルタを示す底面図である。
【図５】本考案に係るインレット型ノイズフィルタを示す右側面図である。
【図６】本考案に係るインレット型ノイズフィルタを示す左側面図である。
【図７】本考案に係るインレット型ノイズフィルタを示す斜視図である。
【図８】図１のＡ−Ａ概略断面図である。
【図９】本考案に係るインレット型ノイズフィルタのフィルタ回路を示す回路図である。
【図１０】本考案に係るインレット型ノイズフィルタのケースとインレットソケットとの接続構造を示す前方斜視説明図である
【図１１】本考案に係るインレット型ノイズフィルタのケースとインレットソケットとの接続構造を示す後方斜視説明図である
【図１２】本考案に係るインレット型ノイズフィルタのケースの上壁部内面を示す斜視図である。
【図１３】本考案に係るインレット型ノイズフィルタにおける、ケースの上壁部へのインレットソケットの取付方法を示す説明図である。
【図１４】本考案に係るインレット型ノイズフィルタにおける、ケースの上壁部へのインレットソケットの取付方法を示す説明図である。
【図１５】本考案に係るインレット型ノイズフィルタにおける、ケースの上壁部へのインレットソケットの取付方法を示す説明図である。
【図１６】本考案に係るインレット型ノイズフィルタを、薄型テレビに組み込んで使用する場合を模式的に示す説明図である。
【図１７】従来のインレット型ノイズフィルタを示す正面図である。
【図１８】従来のインレット型ノイズフィルタを示す左側面図である。
【図１９】従来のインレット型ノイズフィルタのケースとインレットソケットとの接続構造を示す説明図である。
【図２０】従来の他のインレット型ノイズフィルタを示す正面図である。
【図２１】従来の他のインレット型ノイズフィルタを示す左側面図である。
【図２２】従来の他のインレット型ノイズフィルタのケースとインレットソケットとの接続構造を示す説明図である。
【図２３】従来の他のインレット型ノイズフィルタを示す底面図である。
【図２４】従来の他のインレット型ノイズフィルタにおける、ケースの底壁部に形成された接続片及び係合突起を示す部分断面図である。
【図２５】従来の他のインレット型ノイズフィルタにおける、ケースの底壁部に形成された係合突起とインレットソケットの鍔部との係合状態を示す説明図である。
【符号の説明】
【００３４】
40    ノイズフィルタ
42    ケース
46    ケースの上壁部
46ａ  上壁部の取付開孔
46ｂ  上壁部のネジ孔
48    ケースの底壁部
50ａ  ケースの第１の側壁部
50ｂ  ケースの第２の側壁部
50ｃ  ケースの第３の側壁部
50ｄ  ケースの第４の側壁部
52    第１の側壁部の開口
54    出力コード端子
56    フィルタ回路
58    コネクタ
60    上壁部の孔
62    上壁部の垂下片
64    インレットソケット
64ａ  インレットソケットの本体部
64a1  インレットソケットの本体部の開口
64ｂ  インレットソケットの鍔部
64b1   鍔部の底面
64b2   鍔部の側面
64b3   鍔部の上面
64ｃ  インレットソケットの外方突出部
64ｄ  鍔部のネジ孔
66    インレットソケットの入力端子
67    係合片
67ａ  係合片の基端部
67ｂ  係合片の枝部
68    薄型テレビ
69    ガラスパネル
70    電子回路部
71    スピーカー
72    基板
73    背面板
73ａ  背面板の孔部
74    電源コード
75    電源コードのアウトレット
Ｌ    コモンモードチョークコイル
C1    第１のＸコンデンサ
C2    第２のＸコンデンサ
C3    第１のＹコンデンサ
C4    第２のＹコンデンサ
Ｒ    抵抗器
ｄ    ケースの高さ
【図１】
0003161331.tif 000003
【図２】
0003161331.tif 000004
【図３】
0003161331.tif 000005
【図４】
0003161331.tif 000006
【図５】
0003161331.tif 000007
【図６】
0003161331.tif 000008
【図７】
0003161331.tif 000009
【図８】
0003161331.tif 000010
【図９】
0003161331.tif 000011
【図１０】
0003161331.tif 000012
【図１１】
0003161331.tif 000013
【図１２】
0003161331.tif 000014
【図１３】
0003161331.tif 000015
【図１４】
0003161331.tif 000016
【図１５】
0003161331.tif 000017
【図１６】
0003161331.tif 000018
【図１７】
0003161331.tif 000019
【図１８】
0003161331.tif 000020
【図１９】
0003161331.tif 000021
【図２０】
0003161331.tif 000022
【図２１】
0003161331.tif 000023
【図２２】
0003161331.tif 000024
【図２３】
0003161331.tif 000025
【図２４】
0003161331.tif 000026
【図２５】
0003161331.tif 000027